(57)【要約】  本発明に係る室外機は、鉛直方向に並んで配置された第１端子台と、第２端子台と、を有し、前記第１端子台が取り付けられた第１端子台固定板と、前記第２端子台が取り付けられた第２端子台固定板と、を備えた端子台固定装置を有し、前記端子台固定装置は、前記第１端子台が固定された前記第１端子台固定板の第１固定面と、前記第２端子台が固定された前記第２端子台固定板の第２固定面と、を有し、前記第１固定面と前記第２固定面とは、異なる角度で構成されたものである。
2017037820.tif 000002
【特許請求の範囲】
【請求項１】
鉛直方向に並んで配置された第１端子台と、第２端子台と、を有し、
前記第１端子台が取り付けられた第１端子台固定板と、前記第２端子台が取り付けられた第２端子台固定板と、を備えた端子台固定装置を有し、
前記端子台固定装置は、
前記第１端子台が固定された前記第１端子台固定板の第１固定面と、
前記第２端子台が固定された前記第２端子台固定板の第２固定面と、を有し、
前記第１固定面と前記第２固定面とは、異なる角度で構成された室外機。
【請求項２】
前記第２端子台固定板は、前記第１端子台固定板における前記第１固定面の裏面に形成された請求項１に記載の室外機。
【請求項３】
前記第１端子台固定板には、端子台開口が開口し、
前記第２端子台固定板は、前記第１固定面に対して垂直な方向から見て、前記端子台開口内に前記第２端子台が位置するように配置された請求項１または２に記載の室外機。
【請求項４】
前記第２固定面は、該第２固定面の下端側において前記第２固定面の上端側よりも前記第１固定面に近接して構成された請求項１〜３のいずれか１項に記載の室外機。
【請求項５】
少なくとも圧縮機を制御する第１制御基板と、外部機器と通信する第２制御基板とを有し、
前記第１端子台は、第１配線を介して前記第１制御基板に接続され、
前記第２端子台は、第２配線を介して前記第２制御基板に接続される請求項１〜４のいずれか１項に記載の室外機。
【請求項６】
前記第２配線は、前記端子台開口と前記第２固定面との間に形成された開口部に挿通される請求項３に従属する請求項５に記載の室外機。
【請求項７】
前記第１端子台固定板には、前記端子台開口に隣接し、空気が流通する空気開口が形成された請求項３、及び、請求項３に従属する請求項４〜６のいずれか１項に記載の室外機。
【発明の詳細な説明】
【技術分野】
【０００１】
本発明は、室外機の端子台固定装置に関するものである。
【背景技術】
【０００２】
従来、空気調和装置の室外機において、筐体内部に圧縮機や熱交換器、送風機等を収納し、送風機を駆動して熱交換器に外気を供給すると共に、圧縮機を運転して冷凍サイクルの冷媒を循環させている。圧縮機や送風機等を運転するための電源は、外部から電源配線を介して室外機または室内機の端子台に供給される。また、室外機と室内機とは制御用の信号線や電源の渡り配線で接続されており、これらの配線も各端子台に接続されている（例えば、特許文献１参照）。
【先行技術文献】
【特許文献】
【０００３】
【特許文献１】特開２００３−２９４２７２号公報
【発明の概要】
【発明が解決しようとする課題】
【０００４】
このような従来の室外機では、複数の端子台を平板状の端子台固定板に並べて配置している。すると、室外機に接続する室内機の台数が増えた時や、外部信号（例えば電力使用量監視盤のデマンド信号や、ホームエネルギーマネージメントシステム（ＨＥＭＳ）などの制御信号）を拡張機能として接続する際に端子台を平面的に増設することとなる。【０００５】
端子台が端子台固定板上に平面的に増設されていくと各配線が重なるように端子台に接続され、配線が複雑化して作業効率が悪化する問題があった。また、端子台固定板の水平方向の寸法が端子台の個数によって変化するため、室外機の筐体も含めた構成部品の共通化ができなくなる問題もあった。【０００６】
本発明は、上記のような課題を背景としてなされたものであり、複数の端子台に各種配線を接続する際に、配線の複雑化をなくして作業効率を向上させるとともに、端子台固定板の水平方向の寸法を固定し、室外機の構成部品の共通化を図ることを目的とする。
【課題を解決するための手段】
【０００７】
本発明に係る室外機は、鉛直方向に並んで配置された第１端子台と、第２端子台と、を有し、前記第１端子台が取り付けられた第１端子台固定板と、前記第２端子台が取り付けられた第２端子台固定板と、を備えた端子台固定装置を有し、前記端子台固定装置は、前記第１端子台が固定された前記第１端子台固定板の第１固定面と、前記第２端子台が固定された前記第２端子台固定板の第２固定面と、を有し、前記第１固定面と前記第２固定面とは、異なる角度で構成されたものである。
【発明の効果】
【０００８】
本発明に係る室外機では、複数の端子台に各種配線を接続する際に、配線の複雑化が低減され作業効率が向上するとともに、室外機の構成部品の共通化を図ることが可能になる。
【図面の簡単な説明】
【０００９】
【図１】実施の形態１に係る室外機の斜視図である。
【図２】実施の形態１に係る室外機の側面図である。
【図３】実施の形態１に係る室外機の分解斜視図である。
【図４】実施の形態１に係る室外機における制御装置ユニットの斜視図である。
【図５】実施の形態１に係る室外機における制御装置ユニットを図４とは別の角度から見た斜視図である。
【図６】実施の形態１に係る室外機における制御装置ユニットの分解斜視図である。
【図７】実施の形態１に係る室外機における端子台固定装置の分解斜視図である。
【図８】実施の形態１に係る室外機における第２端子台固定板の斜視図である。
【図９】実施の形態１に係る室外機における端子台固定装置の正面図である。
【図１０】実施の形態１に係る室外機における端子台固定装置の背面図である。
【図１１】実施の形態１に係る室外機における端子台固定装置のＡ−Ａ断面図である。
【図１２】実施の形態１に係る室外機における第２端子台固定板の斜視図である。
【図１３】実施の形態１に係る室外機における第２端子台固定板の断面図である。
【発明を実施するための形態】
【００１０】
以下、本発明に係る空気調和装置の室外機ついて、図面を用いて説明する。
以下で説明する室外機の構成は一例に過ぎず、本発明に係る室外機は、そのような構成に限定されない。また、各図において、同一又は類似するものには、同一の符号を付すか、又は、符号を付すことを省略している。また、細かい構造については、適宜図示を簡略化又は省略している。また、重複又は類似する説明については、適宜簡略化又は省略している。
【００１１】
実施の形態１．
実施の形態１に係る室外機について図１〜図１３を用いて説明する。
＜室外機の構成＞
図１は、実施の形態１に係る室外機の斜視図である。
図２は、実施の形態１に係る室外機の側面図である。
図３は、実施の形態１に係る室外機の分解斜視図である。
【００１２】
室外機の筐体１は、図１に示すように板金製で略直方体形状となっている。
筐体１は、天面パネル１ａ、前面パネル１ｂ、背面パネル１ｃ、側面パネル１ｄ、底板１ｅ、により大きく構成されている。
前面パネル１ｂには、空気の吹き出し口として機能するグリル２が取り付けられている。また、側面パネル１ｄには端子台等が内部に収納されるサービスカバー３が取り付けられている。サービスカバー３には、外気を筐体１内に導入させるルーバー部３ａが開口している。さらに側面パネル１ｄの下方にはバルブカバー４が取り付けられている。
【００１３】
実施の形態１に係る室外機の側面パネル１ｄには、図２に示すように、内部の端子台等にアクセスが可能な配線用開口１ｆが形成されている。
筐体１の側面視において配線用開口１ｆ内には、第１端子台固定板２１に固定された第１主端子台２０ａと第２主端子台２０ｂが目視できる。また、第１端子台固定板２１には、副端子台２０ｃが内部に配置される端子台開口２１ｄと、サービスカバー３のルーバー部３ａを通った外気が通過する空気開口２１ｅが開口している。
【００１４】
実施の形態１に係る室外機の内部構造は、図３に示すように、送風機室Ａと機械室Ｂを有し、セパレータ５によって分けられている。また、室外機内部の各構成部品は、脚部を有する底板１ｅの上に配置されている。
送風機室Ａ内には、送風機６や熱交換器７等が配置されている。また、機械室Ｂ内には、圧縮機８や冷媒配管、制御装置ユニット９等が配置されている。
【００１５】
＜制御装置ユニットの構成＞
図４は、実施の形態１に係る室外機における制御装置ユニットの斜視図である。
図５は、実施の形態１に係る室外機における制御装置ユニットを図４とは別の角度から見た斜視図である。
図６は、実施の形態１に係る室外機における制御装置ユニットの分解斜視図である。
室外機の制御装置ユニット９は、図４〜６に示すように、制御基板１０（本発明の第１制御基板に相当する）を支持する電気品支持材１４と、端子台が取り付けられた第１端子台固定板２１と、により大きく構成されている。制御装置ユニット９は、空気調和装置が運転される際に、冷凍サイクル装置の各種センサーからの入力値と、各設定値とから演算を行い、圧縮機８や送風機６等を容量制御するものであり、インバータ回路等を制御基板１０に備えている。
【００１６】
電気品支持材１４は、図６に示すように略Ｌ字断面形状のＬ字構成面１４ａを有する板金製である。また、Ｌ字構成面１４ａの一端側に形成された底板面１４ｂを有している。
電気品支持材１４には、制御基板１０の発熱部品を冷却する放熱部１２が放熱部支持材１３を介して取り付けられる。放熱部１２は、例えばアルミ製のフィンを備えたヒートシンクである。また、電気品支持材１４には、放熱部１２を保護する放熱部保護部材１５が放熱部１２を覆うように送風機室Ａ側から取り付けられる。放熱部保護部材１５は、流路を有するダクト形状となっており、放熱部１２を冷却する空気が流通する。
電気品支持材１４には、放熱部１２が挿入される第１開口１４ｃが矩形形状に開口している。また、第１開口１４ｃに隣接して、制御基板１０を冷却した冷却空気が送風機室Ａに流出する第２開口１４ｄが開口している。
【００１７】
制御基板１０は、平面形状の基板支持部材１１を介して電気品支持材１４に取り付けられている。このとき、制御基板１０上の発熱量の大きい電気部品が熱的に放熱部１２に接続される。
第１端子台固定板２１は、図４、５に示すように電気品支持材１４の底板面１４ｂ上に立設されている。第１端子台固定板２１に取り付けられた第１主端子台２０ａ及び第２主端子台２０ｂと制御基板１０とは第１配線１６にて接続されている。また、第１端子台固定板２１には、前述のように副端子台２０ｃが内部に配置される端子台開口２１ｄと、サービスカバー３のルーバー部３ａを通った外気が通過する空気開口２１ｅが開口している。また、第１端子台固定板２１の側方には、図４に示すように後述する拡張機能制御基板３１を支持する拡張基板支持部材３２が配置されている。
【００１８】
なお、サービスカバー３のルーバー部３ａを通って筐体１内に流入した外気は、第１端子台固定板２１の空気開口２１ｅを通過し、制御基板１０や拡張機能制御基板３１を冷却した後、電気品支持材１４の第２開口１４ｄを通って送風機室Ａに流入し送風機６にて筐体１外に排出される。
【００１９】
＜端子台固定装置の構成＞
図７は、実施の形態１に係る室外機における端子台固定装置の分解斜視図である。
図８は、実施の形態１に係る室外機における第２端子台固定板の斜視図である。
図９は、実施の形態１に係る室外機における端子台固定装置の正面図である。
図１０は、実施の形態１に係る室外機における端子台固定装置の背面図である。
図１１は、実施の形態１に係る室外機における端子台固定装置のＡ−Ａ断面図である。
端子台固定装置１００は、図７〜１１に示す第１端子台固定板２１と、第２端子台固定板３０とにより構成されている。
【００２０】
第１端子台固定板２１は、図７に示すように主板２１ａと、主板２１ａの一端側に主板２１ａから曲折して形成された第１リブ２１ｂと、主板２１ａの他端側に主板２１ａから曲折して形成された第２リブ２１ｃと、で構成されている。主板２１ａには、矩形状の貫通穴である端子台開口２１ｄと、空気開口２１ｅとが開口している。
【００２１】
第１端子台固定板２１の主板２１ａには、図７に示すように第１主端子台２０ａ（本発明の第１端子台に相当する）と第２主端子台２０ｂ（本発明の第１端子台に相当する）とがビス２２等により水平方向に並んで取り付けられる。このとき、第１主端子台２０ａと第２主端子台２０ｂとが取り付けられる主板２１ａの面を正面２１Ａ（本発明の第１固定面に相当する）とする。また、正面２１Ａの反対側の面を背面２１Ｂとする。
【００２２】
主板２１ａの背面２１Ｂには、副端子台２０ｃを固定する第２端子台固定板３０が第１端子台固定板２１の端子台開口２１ｄを覆うように固定される。
このとき、第１端子台固定板２１には、図９に示すように、鉛直方向において上方から第１主端子台２０ａ及び第２主端子台２０ｂ、端子台開口２１ｄ、空気開口２１ｅの順番に各構成が配置されている。
【００２３】
第２端子台固定板３０は、図８に示すように副端子台２０ｃ（本発明の第２端子台に相当する）が固定される傾斜板３０ａと、傾斜板３０ａの両端部に形成された略三角形状の支持板３０ｂと、支持板３０ｂから曲折して形成された取付片部３０ｃとにより構成されている。
傾斜板３０ａは、副端子台２０ｃが取り付けられる正面３０Ａ（本発明の第２固定面に相当する）と、正面３０Ａの反対側の面となる背面３０Ｂとを有している。
傾斜板３０ａの正面３０Ａと取付片部３０ｃとは異なる角度（例えば４５°）を成して形成されている。傾斜板３０ａと支持板３０ｂとの境界の折り曲げ部には、副端子台２０ｃを取り付ける取付孔３０ｅが開口している。また、傾斜板３０ａには、副端子台２０ｃと取り付ける際に位置決めを容易にする位置決め突起３０ｆが２箇所形成されている。
第２端子台固定板３０の取付片部３０ｃは、図１０に示すように端子台開口２１ｄの対向する２辺に沿ってスポット溶接３０ｄ等により第１端子台固定板２１の背面２１Ｂに固定される。
【００２４】
第２端子台固定板３０における傾斜板３０ａの正面３０Ａは、図１１に示すように第１端子台固定板２１における主板２１ａの正面２１Ａとは異なる角度で形成されている。例えば、主板２１ａの正面２１Ａに対して傾斜板３０ａの正面３０Ａは４５°傾斜して形成されている。
よって、図１１に示すように第１端子台固定板２１の主板２１ａの背面２１Ｂ側に第２端子台固定板３０の傾斜板３０ａが主板２１ａに対して斜め上方に向かって傾斜して取り付けられる。このとき、第１端子台固定板２１の端子台開口２１ｄの上方側には、第２端子台固定板３０の傾斜板３０ａと端子台開口２１ｄの周縁部２１ｆとの間に開口部４０が形成される。
【００２５】
このような、第１端子台固定板２１と第２端子台固定板３０とに第１主端子台２０ａ、第２主端子台２０ｂ、副端子台２０ｃが取り付けられると、第１端子台固定板２１における主板２１ａの正面２１Ａに取り付けられた第１主端子台２０ａ及び第２主端子台２０ｂと、第２端子台固定板３０における傾斜板３０ａの正面３０Ａに取り付けられた副端子台２０ｃとは異なる角度（例えば４５°）を成して、それぞれ取り付けられる。
なお、第１端子台固定板２１の正面２１Ａ側から見ると、図９に示すように副端子台２０ｃが端子台開口２１ｄ内に目視することができる。
【００２６】
また、第１端子台固定板２１の第１リブ２１ｂ側には、図７に示すように拡張機能制御基板３１（本発明の第２制御基板に相当する）を支持する拡張基板支持部材３２が配置されている。拡張基板支持部材３２は、電気品支持材１４の底板面１４ｂから立設している。拡張機能制御基板３１は、拡張基板支持部材３２にビス２２等で取り付けられている。拡張機能制御基板３１と副端子台２０ｃとは、第２配線３３により接続されている。
なお、第１端子台固定板２１と第２端子台固定板３０とは、別体としてビス留めする構成を説明したが、第１端子台固定板２１の端子台開口２１ｄから切り起こした舌片部として形成し、第１端子台固定板２１として一体の構成としてもよい。
【００２７】
＜端子台の構成＞
第１主端子台２０ａ、第２主端子台２０ｂ、副端子台２０ｃは、共に制御基板１０、拡張機能制御基板３１に配線を接続するための基板接続用端子２０ｙと、外部電源や外部機器に配線を接続するための外部接続部２０ｚとを備えている。基板接続用端子２０ｙには、第１配線１６、第２配線３３がコネクタを介して接続される。また、外部接続部２０ｚには、電源配線や外部信号配線が接続される。
【００２８】
各端子台は、特段その機能を限定しないが、例えば第１主端子台２０ａは、室外機を運転するための三相電源を外部から接続する端子台である。また、第２主端子台２０ｂは、室内機と室外機とを接続し、電源を室内機に供給するとともに制御用の信号線を接続する端子台である。さらに、副端子台２０ｃは、拡張機能として外部機器の外部信号（例えば電力使用量監視盤のデマンド信号や、ホームエネルギーマネージメントシステム（ＨＥＭＳ）などの制御信号）を接続するための端子台である。
【００２９】
＜副端子台の取り付け＞
次に、副端子台２０ｃを第２端子台固定板３０に取り付ける手順を図１２、１３を用いて説明する。
図１２は、実施の形態１に係る室外機における第２端子台固定板の斜視図である。
図１３は、実施の形態１に係る室外機における第２端子台固定板の断面図である。
副端子台２０ｃは、対向する両端部に一対の取付片２０ｄを有している。取付片２０ｄは、ビス留めが可能なように中央がＵ字形状に切り欠かれている。
【００３０】
副端子台２０ｃを第２端子台固定板３０に取り付ける際には、一方の取付片２０ｄを第２端子台固定板３０の取付孔３０ｅに挿入する。次に、他方の取付片２０ｄにおけるＵ字形状の切り欠きにビス２２を挿入し、図１２に示すように第２端子台固定板３０に副端子台２０ｃを固定する。
【００３１】
このときの第２端子台固定板３０、及び、副端子台２０ｃの断面は、図１３のようになっている。ビス２２を回転させるドライバーピット５０は、第１端子台固定板２１の端子台開口２１ｄの周縁部２１ｆに対してクリアランス５０ａを有して作業することが可能に構成されている。
また、副端子台２０ｃを第２端子台固定板３０に取り付けた際に副端子台２０ｃに貼り付けられた端子識別用ラベル２０ｅの視認性が確保できるように第１端子台固定板２１の端子台開口２１ｄ、及び、第２端子台固定板３０の傾斜板３０ａの角度が調整されている。
【００３２】
そして、副端子台２０ｃに接続される各配線が損傷しないように、第１端子台固定板２１の端子台開口２１ｄの周縁部２１ｆには密着曲げ加工ないし曲げ加工が施されている。
また、第２端子台固定板３０の傾斜板３０ａの端部３０ｇにも同様に密着曲げ加工ないし曲げ加工が施されている。
【００３３】
＜効果＞
実施の形態１に係る室外機は、
（１）鉛直方向に並んで配置された第１端子台（第１主端子台２０ａと第２主端子台２０ｂに相当する）と、第２端子台（副端子台２０ｃに相当する）と、を有し、第１端子台が取り付けられた第１端子台固定板２１と、第２端子台が取り付けられた第２端子台固定板３０と、を備えた端子台固定装置１００を有し、端子台固定装置１００は、第１端子台が固定された第１端子台固定板２１の第１固定面（主板２１ａの正面２１Ａに相当する）と、第２端子台が固定された第２端子台固定板３０の第２固定面（傾斜板３０ａの正面３０Ａに相当する）と、を有し、第１固定面と第２固定面とは、異なる角度で構成されたものである。
このため、複数の端子台に各種配線を接続する際に、配線が端子台固定板の平面方向で重なることが無くなり、配線の複雑化が解消されて作業効率が向上する。また、鉛直方向に各端子台が配置されることで第１端子台固定板２１の水平方向の寸法が固定され、室外機の構成部品の共通化を図ることが可能になる。
【００３４】
また、実施の形態１に係る室外機は、上記（１）に記載の室外機において、
（２）第２端子台固定板３０は、第１固定面の裏面に形成されたものである。
すると、第１端子台（第１主端子台２０ａと第２主端子台２０ｂに相当する）に接続する配線と、第２端子台（副端子台２０ｃに相当する）に接続する配線と、が平面的に重なることがない。従って、配線の複雑化が解消されて作業効率が向上する。
【００３５】
また、実施の形態１に係る室外機は、上記（１）または（２）に記載の室外機において、
（３）第１端子台固定板２１には、端子台開口２１ｄが開口し、第２端子台固定板３０は、第１固定面に対して垂直な方向から見て、端子台開口２１ｄ内に第２端子台が位置するように配置されたものである。
すると、第２端子台に外部から配線を接続する際に端子台開口２１ｄ内に配線が挿通するため、第１端子台に接続する配線と、第２端子台に接続する配線と、が平面的に重なることがない。従って、配線の複雑化が解消されて作業効率が向上する。
【００３６】
また、実施の形態１に係る室外機は、上記（１）〜（３）に記載の室外機において、
（４）第２固定面は、第２固定面の下端側において第２固定面の上端側よりも第１固定面に近接して構成されたものである。
すると、第１固定面と第２固定面とが上方に向けて開く角度で構成されているため、第１端子台及び第２端子台から制御基板１０や拡張機能制御基板３１に接続される配線が平面的に重なることがない。従って、配線の複雑化が解消されて作業効率が向上する。
【００３７】
また、実施の形態１に係る室外機は、上記（１）〜（４）に記載の室外機において、
（５）少なくとも圧縮機を制御する第１制御基板（制御基板１０に相当する）と、外部機器と通信する第２制御基板（拡張機能制御基板３１に相当する）とを有し、第１端子台は、第１配線１６を介して第１制御基板に接続され、第２端子台は、第２配線３３を介して第２制御基板に接続されるものである。
すると、第１端子台及び第２端子台から制御基板１０や拡張機能制御基板３１に接続される配線が平面的に重なることがない。従って、配線の複雑化が解消されて作業効率が向上する。
【００３８】
また、実施の形態１に係る室外機は、上記（３）を前提とする（５）に記載の室外機において、
（６）第２配線３３は、端子台開口２１ｄと第２固定面との間に形成された開口部４０を挿通するものである。
すると、第２配線３３が第１配線１６と異なるルートで制御基板１０や拡張機能制御基板３１に接続されるため、配線が平面的に重なることがない。従って、配線の複雑化が解消されて作業効率が向上する。
【００３９】
また、実施の形態１に係る室外機は、上記（３）、及び、（３）を前提とする（４）〜（６）に記載の室外機において、
（７）第１端子台固定板２１には、端子台開口２１ｄに隣接し、空気が流通する空気開口２１ｅが形成されたものである。
すると、制御基板１０や拡張機能制御基板３１を冷却する空気が空気開口２１ｅからスムーズに筐体１の内部に流通するため、制御基板の冷却効率を向上させることができる。
【符号の説明】
【００４０】
１  筐体、１ａ  天面パネル、１ｂ  前面パネル、１ｃ  背面パネル、１ｄ  側面パネル、１ｅ  底板、１ｆ  配線用開口、２  グリル、３  サービスカバー、３ａ  ルーバー部、４  バルブカバー、５  セパレータ、６  送風機、７  熱交換器、８  圧縮機、９  制御装置ユニット、１０  制御基板（本発明の第１制御基板に相当する）、１１  基板支持部材、１２  放熱部、１３  放熱部支持材、１４  電気品支持材、１４ａ  Ｌ字構成面、１４ｂ  底板面、１４ｃ  第１開口、１４ｄ  第２開口、１５  放熱部保護部材、１６  第１配線、２０ａ  第１主端子台（本発明の第１端子台に相当する）、２０ｂ  第２主端子台（本発明の第１端子台に相当する）、２０ｃ  副端子台（本発明の第２端子台に相当する）、２０ｄ  取付片、２０ｅ  端子識別用ラベル、２０ｙ  基板接続用端子、２０ｚ  外部接続部、２１  第１端子台固定板、２１ａ  主板、２１ｂ  第１リブ、２１ｃ  第２リブ、２１ｄ  端子台開口、２１ｅ  空気開口、２１ｆ  周縁部、２１Ａ  正面（本発明の第１固定面に相当する）、２１Ｂ  背面、２２  ビス、３０  第２端子台固定板、３０ａ  傾斜板、３０ｂ  支持板、３０ｃ  取付片部、３０ｄ  スポット溶接、３０ｅ  取付孔、３０ｆ  位置決め突起、３０ｇ  端部、３０Ａ  正面（本発明の第２固定面に相当する）、３０Ｂ  背面、３１  拡張機能制御基板（本発明の第２制御基板に相当する）、３２  拡張基板支持部材、３３  第２配線、４０  開口部、５０  ドライバーピット、５０ａ  クリアランス、１００  端子台固定装置、Ａ  送風機室、Ｂ  機械室。
【図１】
2017037820.tif 000003
【図２】
2017037820.tif 000004
【図３】
2017037820.tif 000005
【図４】
2017037820.tif 000006
【図５】
2017037820.tif 000007
【図６】
2017037820.tif 000008
【図７】
2017037820.tif 000009
【図８】
2017037820.tif 000010
【図９】
2017037820.tif 000011
【図１０】
2017037820.tif 000012
【図１１】
2017037820.tif 000013
【図１２】
2017037820.tif 000014
【図１３】
2017037820.tif 000015
【手続補正書】
【提出日】平成29年12月15日(2017.12.15)
【手続補正１】
【補正対象書類名】明細書
【補正対象項目名】０００７
【補正方法】変更
【補正の内容】
【０００７】
本発明に係る室外機は、鉛直方向に並んで配置された第１端子台と、第２端子台と、を有し、前記第１端子台が取り付けられた第１端子台固定板と、前記第２端子台が取り付けられた第２端子台固定板と、を備えた端子台固定装置を有し、前記端子台固定装置は、前記第１端子台が固定された前記第１端子台固定板の第１固定面と、前記第２端子台が固定された前記第２端子台固定板の第２固定面と、を有し、前記第１固定面と前記第２固定面とは、異なる角度で構成され、前記第２固定面は、該第２固定面の下端側において前記第２固定面の上端側よりも前記第１固定面に近接して構成されたものである。
【手続補正２】
【補正対象書類名】明細書
【補正対象項目名】００２６
【補正方法】変更
【補正の内容】
【００２６】
また、第１端子台固定板２１の第１リブ２１ｂ側には、図７に示すように拡張機能制御基板３１（本発明の第２制御基板に相当する）を支持する拡張基板支持部材３２が配置されている。拡張基板支持部材３２は、電気品支持材１４の底板面１４ｂから立設している。拡張機能制御基板３１は、拡張基板支持部材３２にビス２２等で取り付けられている。拡張機能制御基板３１と副端子台２０ｃとは、第２配線３３により接続されている。
なお、第１端子台固定板２１と第２端子台固定板３０とは、別体としてスポット溶接する構成を説明したが、第１端子台固定板２１の端子台開口２１ｄから切り起こした舌片部として第２端子台固定板３０を形成し、第１端子台固定板２１と一体の構成としてもよい。
【手続補正３】
【補正対象書類名】特許請求の範囲
【補正対象項目名】全文
【補正方法】変更
【補正の内容】
【特許請求の範囲】
【請求項１】
鉛直方向に並んで配置された第１端子台と、第２端子台と、を有し、
前記第１端子台が取り付けられた第１端子台固定板と、前記第２端子台が取り付けられた第２端子台固定板と、を備えた端子台固定装置を有し、
前記端子台固定装置は、
前記第１端子台が固定された前記第１端子台固定板の第１固定面と、
前記第２端子台が固定された前記第２端子台固定板の第２固定面と、を有し、
前記第１固定面と前記第２固定面とは、異なる角度で構成され、
前記第２固定面は、該第２固定面の下端側において前記第２固定面の上端側よりも前記第１固定面に近接して構成された室外機。
【請求項２】
前記第２端子台固定板は、前記第１端子台固定板における前記第１固定面の裏面に固定された請求項１に記載の室外機。
【請求項３】
前記第１端子台固定板には、端子台開口が開口し、
前記第２端子台固定板は、前記第１固定面に対して垂直な方向から見て、前記端子台開口内に前記第２端子台が位置するように配置された請求項１または２に記載の室外機。
【請求項４】
少なくとも圧縮機を制御する第１制御基板と、外部機器と通信する第２制御基板とを有し、
前記第１端子台は、第１配線を介して前記第１制御基板に接続され、
前記第２端子台は、第２配線を介して前記第２制御基板に接続される請求項１〜３のいずれか１項に記載の室外機。
【請求項５】
前記第２配線は、前記端子台開口と前記第２固定面との間に形成された開口部に挿通される請求項３に従属する請求項４に記載の室外機。
【請求項６】
前記第１端子台固定板には、前記端子台開口に隣接し、空気が流通する空気開口が形成された請求項３、及び、請求項３に従属する請求項４または５のいずれか１項に記載の室外機。
【国際調査報告】
2017037820.tif 000016
2017037820.tif 000017
2017037820.tif 000018
2017037820.tif 000019